(57)【要約】【課題】商品のパッケージ表面に印刷され剥き出し状態の二次元コードでも、この商品の購入者のみがキャンペーン応募できる。【解決手段】携帯電話は、購入履歴情報を受け取ったとき、ウェブキャンペーンサーバと同じアルゴリズムで時間でアルゴリズム変数を同期させてパス鍵を生成し、商品のパッケージに印刷されている二次元コードを読み取ってパス鍵と共にウェブキャンペーンサーバに送り、  ウェブキャンペーンサーバは、携帯電話と同じアルゴリズムで時間でアルゴリズム変数を同期させてパス鍵を生成し、既に出荷した商品のパッケージに印刷された二次元コードを保存し、携帯電話から二次元コードとパス鍵とを受け取り、保存している二次元コードの中に受け取った二次元コードがあり、かつ既に生成しているパス鍵の中に受け取ったパス鍵がある場合、キャンペーン応募を認める。【選択図】図３
2011076530.tif 000002
【特許請求の範囲】
【請求項１】
決済システムとネットワークに接続される携帯電話及びウェブキャンペーンサーバとを備えキャンペーン応募に係る認証を行うシステムであって、
前記決済システムは、購入商品の決済を行って購入履歴情報を携帯電話に送る手段を有し、
前記携帯電話は、決済システムから前記購入履歴情報を受け取ったとき、前記ウェブキャンペーンサーバと同じアルゴリズムで時間でアルゴリズム変数を同期させてパス鍵を生成する手段と、商品のパッケージに印刷されている二次元コードを読み取って前記パス鍵と共に前記ウェブキャンペーンサーバに送る手段とを有し、
前記ウェブキャンペーンサーバは、前記携帯電話と同じアルゴリズムで時間でアルゴリズム変数を同期させてパス鍵を生成する手段と、既に出荷した商品のパッケージに印刷された二次元コードを保存する手段と、前記携帯電話から二次元コードとパス鍵とを受け取り、保存している二次元コードの中に受け取った二次元コードがあり、かつ、既に生成しているパス鍵の中に受け取ったパス鍵がある場合に、キャンペーン応募を認める手段とを有することを特徴とするキャンペーン応募認証システム。
【請求項２】
前記携帯電話は、前記購入履歴情報を基に複数同時購入であるかを判断し、複数同時購入の場合、生成したパス鍵に行列変形を行って購入数分のパス鍵を生成する手段を有し、
前記ウェブキャンペーンサーバは、既に生成しているパス鍵の中に受け取ったパス鍵がない場合には、保存している二次元コードの中に受け取った二次元コードがあり、かつ、既に生成しているパス鍵の中に受け取ったパス鍵に逆行列変形したものがある場合に、キャンペーン応募を認める手段を有することを特徴とする請求項１記載のキャンペーン応募認証システム。
【請求項３】
決済システムとネットワークに接続される携帯電話及びウェブキャンペーンサーバとでキャンペーン応募に係る認証を行う方法であって、
前記決済システムが行う工程として、購入商品の決済を行って購入履歴情報を携帯電話に送る工程を含み、
前記携帯電話で行う工程として、決済システムから前記購入履歴情報を受け取ったとき、前記ウェブキャンペーンサーバと同じアルゴリズムで時間でアルゴリズム変数を同期させてパス鍵を生成する工程と、商品のパッケージに印刷されている二次元コードを読み取って前記パス鍵と共に前記ウェブキャンペーンサーバに送る工程とを含み、
前記ウェブキャンペーンサーバで行う工程として、前記携帯電話と同じアルゴリズムで時間でアルゴリズム変数を同期させてパス鍵を生成する工程と、既に出荷した商品のパッケージに印刷された二次元コードを保存する工程と、前記携帯電話から二次元コードとパス鍵とを受け取り、保存している二次元コードの中に受け取った二次元コードがあり、かつ、既に生成しているパス鍵の中に受け取ったパス鍵がある場合に、キャンペーン応募を認める工程とを含むことを特徴とするキャンペーン応募認証方法。
【請求項４】
前記携帯電話で行う工程として、前記購入履歴情報を基に複数同時購入であるかを判断し、複数同時購入の場合、生成したパス鍵に行列変形を行って購入数分のパス鍵を生成する工程を含み、
前記ウェブキャンペーンサーバで行う工程として、既に生成しているパス鍵の中に受け取ったパス鍵がない場合には、保存している二次元コードの中に受け取った二次元コードがあり、かつ、既に生成しているパス鍵の中に受け取ったパス鍵に逆行列変形したものがある場合に、キャンペーン応募を認める工程を含むことを特徴とする請求項３記載のキャンペーン応募認証方法。
【発明の詳細な説明】
【技術分野】
【０００１】
本発明はキャンペーン応募に関する。
【背景技術】
【０００２】
一般に、商品の販売に係る管理を目的として、商品のパッケージにＱＲコード（登録商標）等の二次元コードを印刷することが行われている（例えば特許文献１参照）。
【０００３】
また一般に、商品の購入者にキャンペーン応募する権利を与えることを目的として、個々の商品にユニークなＱＲコード（登録商標）を、個々の商品のパッケージに印刷することが行われている。この場合、商品の購入者は、この商品のパッケージに印刷されたＱＲコード（登録商標）を携帯電話で読み取って、ウェブキャンペーンサーバにアクセスすることにより、キャンペーン応募ができることになる。
【０００４】
しかしながら、従来のウェブキャンペーンサーバでは、携帯電話から送られるＱＲコード（登録商標）だけで、商品の購入者であることを認証しているために、店頭で、商品の購入者でないものが、不正に、ＱＲコード（登録商標）を携帯電話で読み取って、キャンペーン応募してしまう恐れがあった。
【０００５】
このような不正を防止するために、従来、キャンペーン応募用のＱＲコード（登録商標）は、商品の販売管理用のＱＲコード（登録商標）とは別に、パッケージ内部に印刷するか、或いは、パッケージ内部に印刷できない場合には、パッケージ表面に印刷し、その上にシールなどを貼って隠蔽する必要があり、コスト高につながり、シールを貼る場合には落丁などの危険もあった。
【先行技術文献】
【特許文献】
【０００６】
【特許文献１】特開２００８−２９３２８４
【発明の概要】
【発明が解決しようとする課題】
【０００７】
本発明は斯かる背景技術に鑑みてなされたもので、商品のパッケージ表面に印刷され剥き出し状態の二次元コードでも、この商品の購入者のみがキャンペーン応募できることを課題とする。
【課題を解決するための手段】
【０００８】
本発明において上記課題を解決するために、まず請求項１の発明では、
決済システムとネットワークに接続される携帯電話及びウェブキャンペーンサーバとを備えキャンペーン応募に係る認証を行うシステムであって、
前記決済システムは、購入商品の決済を行って購入履歴情報を携帯電話に送る手段を有し、
前記携帯電話は、決済システムから前記購入履歴情報を受け取ったとき、前記ウェブキャンペーンサーバと同じアルゴリズムで時間でアルゴリズム変数を同期させてパス鍵を生成する手段と、商品のパッケージに印刷されている二次元コードを読み取って前記パス鍵と共に前記ウェブキャンペーンサーバに送る手段とを有し、
前記ウェブキャンペーンサーバは、前記携帯電話と同じアルゴリズムで時間でアルゴリズム変数を同期させてパス鍵を生成する手段と、既に出荷した商品のパッケージに印刷された二次元コードを保存する手段と、前記携帯電話から二次元コードとパス鍵とを受け取
り、保存している二次元コードの中に受け取った二次元コードがあり、かつ、既に生成しているパス鍵の中に受け取ったパス鍵がある場合に、キャンペーン応募を認める手段とを有することを特徴とするキャンペーン応募認証システムとしたものである。
【０００９】
また請求項２の発明では、
前記携帯電話は、前記購入履歴情報を基に複数同時購入であるかを判断し、複数同時購入の場合、生成したパス鍵に行列変形を行って購入数分のパス鍵を生成する手段を有し、
前記ウェブキャンペーンサーバは、既に生成しているパス鍵の中に受け取ったパス鍵がない場合には、保存している二次元コードの中に受け取った二次元コードがあり、かつ、既に生成しているパス鍵の中に受け取ったパス鍵に逆行列変形したものがある場合に、キャンペーン応募を認める手段を有することを特徴とする請求項１記載のキャンペーン応募認証システムとしたものである。
【００１０】
また請求項３の発明では、
決済システムとネットワークに接続される携帯電話及びウェブキャンペーンサーバとでキャンペーン応募に係る認証を行う方法であって、
前記決済システムが行う工程として、購入商品の決済を行って購入履歴情報を携帯電話に送る工程を含み、
前記携帯電話で行う工程として、決済システムから前記購入履歴情報を受け取ったとき、前記ウェブキャンペーンサーバと同じアルゴリズムで時間でアルゴリズム変数を同期させてパス鍵を生成する工程と、商品のパッケージに印刷されている二次元コードを読み取って前記パス鍵と共に前記ウェブキャンペーンサーバに送る工程とを含み、
前記ウェブキャンペーンサーバで行う工程として、前記携帯電話と同じアルゴリズムで時間でアルゴリズム変数を同期させてパス鍵を生成する工程と、既に出荷した商品のパッケージに印刷された二次元コードを保存する工程と、前記携帯電話から二次元コードとパス鍵とを受け取り、保存している二次元コードの中に受け取った二次元コードがあり、かつ、既に生成しているパス鍵の中に受け取ったパス鍵がある場合に、キャンペーン応募を認める工程とを含むことを特徴とするキャンペーン応募認証方法としたものである。
【００１１】
また請求項４の発明では、
前記携帯電話で行う工程として、前記購入履歴情報を基に複数同時購入であるかを判断し、複数同時購入の場合、生成したパス鍵に行列変形を行って購入数分のパス鍵を生成する工程を含み、
前記ウェブキャンペーンサーバで行う工程として、既に生成しているパス鍵の中に受け取ったパス鍵がない場合には、保存している二次元コードの中に受け取った二次元コードがあり、かつ、既に生成しているパス鍵の中に受け取ったパス鍵に逆行列変形したものがある場合に、キャンペーン応募を認める工程を含むことを特徴とする請求項３記載のキャンペーン応募認証方法としたものである。
【発明の効果】
【００１２】
本発明は、実際に商品を購入して購入履歴情報を携帯電話で受け取らない限り、商品のパッケージに印刷されている二次元コードを携帯電話で読み取っても、キャンペーン応募ができないので、商品のパッケージ表面に印刷され剥き出し状態の二次元コードでも、この商品の購入者のみがキャンペーン応募できるという効果がある。
【００１３】
従って、商品の販売管理用の二次元コードで、キャンペーン応募用の二次元コードを兼ねることができ、商品のパッケージの製造工程が単純になり、低コストを実現できるという効果がある。
【００１４】
さらに、商品のパッケージ表面に二次元コードを印刷して剥き出しにすることは、商パ
ッケージの内部に印刷したりシールで隠蔽するよりも視覚効果があり、キャンペーン応募への誘導を促すこともできるという効果がある。
【図面の簡単な説明】
【００１５】
【図１】本発明のキャンペーン応募認証システムの構成例を示す図。
【図２】複数同時購入の場合に購入数分のパス鍵を生成するための行列の例を示す図。
【図３】キャンペーン応募認証処理の流れの例を示すフローチャート。
【発明を実施するための形態】
【００１６】
以下に、本発明の一実施形態を説明する。
【００１７】
本発明のキャンペーン応募認証システムは、図１に示すように、ＩＣカード決済システムと、携帯電話と、ウェブキャンペーンサーバとを備え、携帯電話とウェブキャンペーンサーバとは、インターネット等のネットワークに接続されるものである。
【００１８】
ＩＣカード決済システムは、ＩＣカードリーダを有し、このＩＣカードリーダに、ＩＣカードをかざすことにより、購入した商品の決済を行う。
【００１９】
またＩＣカード決済システムは、ＩＣカードを有する携帯電話には、購入履歴情報を送る。
【００２０】
携帯電話は、ＩＣカードと、キャンペーン用携帯アプリとを有する。
【００２１】
ＩＣカードは、ＩＣカード決済システムのＩＣカードリーダにかざすことにより、購入した商品の決済を行い、携帯電話がＩＣカード決済システムから購入履歴情報を受け取るためのものである。
【００２２】
キャンペーン用携帯アプリは、携帯電話に、ＩＣカード決済システムから購入履歴情報を受け取ったとき、ウェブキャンペーンサーバと同じアルゴリズムで時間でアルゴリズム変数を同期させてパス鍵を生成させ、購入履歴情報を基に複数同時購入であるかを判断させ、複数同時購入の場合、生成したパス鍵に行列変形（特定の行列を掛ける積演算）を行って購入数分のパス鍵を生成させるアプリケーションプログラムである。図２に、この特定の行列の例を示す。ここで、Ｍは可変定数である。
【００２３】
また携帯電話は、商品のパッケージに印刷されているＱＲコード（登録商標）を読み取って、生成したパス鍵と共に、ウェブキャンペーンサーバに送るものである。
【００２４】
ウェブキャンペーンサーバは、キャンペーン用携帯アプリと同じアルゴリズムで時間でアルゴリズム変数を同期させてパス鍵を生成し続けるものである。この結果、ウェブキャンペーンサーバは、キャンペーン用携帯アプリにてパス鍵を生成した時に、このパス鍵と同じパス鍵を生成することになる。
【００２５】
またウェブキャンペーンサーバは、既に出荷した商品のパッケージに印刷されたＱＲコード（登録商標）を保存しており、携帯電話からＱＲコード（登録商標）とパス鍵とを受け取ると、受け取ったＱＲコード（登録商標）と保存しているＱＲコード（登録商標）とを照合して、保存しているＱＲコード（登録商標）の中に受け取ったＱＲコード（登録商標）がある場合のみ、携帯電話からのウェブキャンペーンサーバへのアクセスを認める。さらにウェブキャンペーンサーバは、受け取ったパス鍵、或いは、受け取ったパ
ス鍵に逆行列変形（上記特定の行列の逆行列を掛けること）したものと、既に生成しているパス鍵とを照合して、既に生成しているパス鍵の中に、受け取ったパス鍵、或いは、受け取ったパス鍵に逆行列変形（上記特定の行列の逆行列を掛けること）したものがある場合のみ、キャンペーン応募を認め、このキャンペーン応募に係る処理を行う。
【００２６】
以下に、本発明のキャンペーン応募認証システムによるキャンペーン応募認証処理の流れの例を、図３のフローチャートに従って説明する。
【００２７】
Ｓ（ＳＴＥＰ）１；
ＩＣカード決済システムは、そのＩＣカードリーダに、携帯電話のＩＣカードがかざされると、購入された商品の決済を行う。
【００２８】
Ｓ（ＳＴＥＰ）２；
ＩＣカード決済システムは、購入履歴情報を、携帯電話に送る。
【００２９】
Ｓ（ＳＴＥＰ）３；
携帯電話は、ＩＣカード決済システムから購入履歴情報を受け取ると、パス鍵を生成する。
【００３０】
同時に、ウェブキャンペーンサーバも、携帯電話が生成したのと同じパス鍵を生成する。
【００３１】
Ｓ（ＳＴＥＰ）４；
携帯電話は、購入履歴情報を基に複数同時購入であるかを判断し、
複数同時購入である場合、ＳＴＥＰ５に進み、
他方、単体購入である場合、ＳＴＥＰ６に進む。
【００３２】
Ｓ（ＳＴＥＰ）５；
携帯電話は、生成したパス鍵に特定の行列を掛ける積演算である行列変形を行って、購入数分のパス鍵を生成する。
【００３３】
Ｓ（ＳＴＥＰ）６；
携帯電話は、商品のパッケージに印刷されているＱＲコード（登録商標）を読み取る。
【００３４】
Ｓ（ＳＴＥＰ）７；
携帯電話は、読み取ったＱＲコード（登録商標）を、生成したパス鍵と共に、ウェブキャンペーンサーバに送る。
【００３５】
Ｓ（ＳＴＥＰ）８；
ウェブキャンペーンサーバは、携帯電話からＱＲコード（登録商標）とパス鍵とを受け取り、受け取ったＱＲコード（登録商標）と保存しているＱＲコード（登録商標）とを照合して、保存しているＱＲコード（登録商標）の中に受け取ったＱＲコード（登録商標）があるかを判断し、
保存しているＱＲコード（登録商標）の中に受け取ったＱＲコード（登録商標）がある場合、携帯電話からのウェブキャンペーンサーバへのアクセスを認めて、ＳＴＥＰ９に進み、
他方、保存しているＱＲコード（登録商標）の中に受け取ったＱＲコード（登録商標）がない場合、ＥＮＤに進む。
【００３６】
Ｓ（ＳＴＥＰ）９；
ウェブキャンペーンサーバは、受け取ったパス鍵と、既に生成しているパス鍵とを照合して、既に生成しているパス鍵の中に、受け取ったパス鍵があるかを判断し、
既に生成しているパス鍵の中に、受け取ったパス鍵がある場合、ＳＴＥＰ１１に進み、
他方、既に生成しているパス鍵の中に、受け取ったパス鍵がない場合、ＳＴＥＰ１０に進む。
【００３７】
Ｓ（ＳＴＥＰ）１０；
ウェブキャンペーンサーバは、受け取ったパス鍵にＳＴＥＰ５で行列変形に用いられた特定の行列の逆行列を掛ける逆行列変形を行い、受け取ったパス鍵を逆行列変形したものと、既に生成しているパス鍵とを照合して、既に生成しているパス鍵の中に、受け取ったパス鍵を逆行列変形したものがあるかを判断し、
既に生成しているパス鍵の中に、受け取ったパス鍵を逆行列変形したものがある場合、ＳＴＥＰ１１に進み、
他方、既に生成しているパス鍵の中に、受け取ったパス鍵を逆行列変形したものがない場合、ＥＮＤに進む。
【００３８】
Ｓ（ＳＴＥＰ）１１；
ウェブキャンペーンサーバは、キャンペーン応募に係る処理を行う。
【図１】
2011076530.tif 000003
【図２】
2011076530.tif 000004
【図３】
2011076530.tif 000005